(57)【要約】  【課題】  横方向に離間した位置から電球を所定の向きで容易に保持させることができて電球交換作業を行い易い電球交換器具を提供する。  【解決手段】  支持体１１と相対回動可能に連結された保持基部２１と、保持基部２１に回動可能に枢支され、電球Ｒの外周部を保持方向Ｄ１から挿入して保持可能な電球保持部２３と、支持体１１の回動を電球保持部に伝達可能な回動伝達部２５とを備え、電球保持部２３に電球Ｒを保持させて支持体１１を回動することにより電球Ｒを回動させて交換する電球交換器具であり、電球保持部２３は、支持体１１に沿う方向に対して交差する方向に回動軸心Ｌ１を有し、電球保持部２３より外側であって、電球保持部２３の回動軸心Ｌ１と交差する位置に、電球Ｒの端子側の外周部を電球保持部２３の保持方向Ｄ１に沿って挿入して配置可能な位置決め凹部２９が、保持基部２１に固定状態で設けられている。【選択図】  図１
2006185630.tif 000002
【特許請求の範囲】
【請求項１】
長尺の支持体の一方の端部に電球保持機構が設けられてなり、電球保持機構は、支持体と相対回動可能に連結された保持基部と、保持基部に回動可能に枢支され、電球の外周部を所定の保持方向から挿入して保持可能な電球保持部と、支持体の回動を電球保持部に伝達可能な回動伝達部とを備え、電球保持部に電球を保持させて支持体を回動することにより電球を回動させて交換する電球交換器具であって、
電球保持部は、支持体に沿う方向に対して交差する交差方向に回動軸心を有し、
電球保持部より交差方向外側であって、電球保持部の回動軸心と交差する位置に、電球の端子側の外周部を電球保持部の保持方向に沿って挿入して配置可能な位置決め凹部が、保持基部に固定状態で設けられていることを特徴とする電球交換器具。
【請求項２】
位置決め凹部の挿入奥部が、電球保持部の回動軸心を中心とする円弧形状を呈し、電球の端子側の外周部に相当した幅及び径を有していることを特徴とする請求項１に記載の電球交換器具。
【請求項３】
位置決め凹部が、支持体に沿う方向に設けられ、支持体先端側に開口していることを特徴とする請求項１又は２に記載の電球交換器具。
【請求項４】
位置決め凹部の開口幅が、開口側から挿入奥部に向けて収縮する案内面が形成されていることを特徴とする請求項１乃至は３に記載の電球交換器具。
【請求項５】
電球保持部は、保持基部に回動可能に枢支された回動ベース部と、電球保持部の回動軸心から偏心した位置で回動ベース部から立上る立上り片と、立上り片から支持体に沿う面方向に突出して設けられ、電球の外周部を両側から弾性により挟持可能な一対の挟持片とを備えたことを特徴とする請求項１乃至は４の何れか一つに記載の電球交換器具。
【請求項６】
電球保持部は、保持基部に回動可能に軸支された枢支軸を有し、回動伝達部は、電球保持部の枢支軸及び支持体の端部にそれぞれ固定され、互いに噛合した一対の歯車からなることを特徴とする１乃至は５の何れか一つに記載の電球交換器具。
【請求項７】
一対の歯車が斜歯歯車からなり、支持体の端部に固定された斜歯歯車が、支持体を回動可能に連結する連結部により背面側から係止されていることを特徴とする請求項６に記載の電球交換器具。
【発明の詳細な説明】
【技術分野】
【０００１】
本発明は、離れた位置に設置されている照明設備等の電球を横方向から交換するための電球交換器具に関する。
【背景技術】
【０００２】
離れた位置に設置された照明設備等の電球を横方向から交換する器具として、長尺の支持体の一端側に電球を保持する電球保持機構が設けられた下記特許文献１、２のような電球交換器具が提案されている。
【０００３】
特許文献１の図４の電球交換器具では、回動自在に設けられた複数の吸盤を備えた電球保持部が、ポールに対して傾倒自在に設けられると共に、ポール部と電球保持部とがベベルギア及びリンクギア等の伝達機構を介して連結された構成を有している。ここでは、電球保持部に電球を保持させた状態で、ポール部をアウターチューブ内で回動させると、伝達機構を介して電球保持部を回動させることができる。
【０００４】
このような電球交換器具によれば、電球保持部がポールに対して傾倒自在に設けられているので、横方向から電球を回動させることができ、電球の真下の位置ではなく、斜め上方や側方などの横方向から電球交換器具により電球を交換することができる。
【０００５】
特許文献２の電球交換器具では、電球を把握するための複数の弾性爪部を備えた把握部が屈曲した固定管の一端に回動可能に設けられ、この把握部が固定管の他端に回動可能に連結された長尺の回転駆動部と可撓性部材により連結された構成を有している。ここでは、把握部に電球を把握させた状態で、回転駆動部を回動させると、可撓性部材を介して把握部を回動させることができる。
【０００６】
このような電球交換器具によれば、把握部が回転駆動部に対して屈曲した向きに連結されているので、横方向から電球を回動させることができ、電球の真下の位置ではなく、斜め上方や側方などの横方向から電球交換器具により電球を交換することができる。
【０００７】
【特許文献１】特開平８−１１０７０号公報
【特許文献２】実開昭６４−１９２４５号公報
【発明の開示】
【発明が解決しようとする課題】
【０００８】
しかしながら、このような電球交換器具では、把握部などの電球保持部により照明器具等の電球を保持させる際、電球の端子部とソケットとの回動軸心に対して、電球保持部の回動軸心が略同一線上の位置に配置されない場合、ポール部或いは回動駆動部等を回動させて電球を回動させることができなかった。特に、これらの電球交換器具は、電球から横方向に離間した位置から、アウターポールや回動駆動部等の長尺の支持部を介して照明器具の電球を保持させなければならないため、電球保持部に電球を所定の向きで保持させることが容易でなく、電球交換作業を行い難いという問題点があった。
【０００９】
そこで、本発明は、横方向に離間した位置から電球保持部に電球を所定の向きで容易に保持させることができ、電球交換作業を行い易い電球交換器具を提供することを目的とする。
【課題を解決するための手段】
【００１０】
本発明の請求項１は、長尺の支持体の一方の端部に電球保持機構が設けられてなり、電球保持機構は、支持体と相対回動可能に連結された保持基部と、保持基部に回動可能に枢支され、電球の外周部を所定の保持方向から挿入して保持可能な電球保持部と、支持体の回動を電球保持部に伝達可能な回動伝達部とを備え、電球保持部に電球を保持させて支持体を回動することにより電球を回動させて交換する電球交換器具であって、電球保持部は、支持体に沿う方向に対して交差する交差方向に回動軸心を有し、電球保持部より交差方向外側であって、電球保持部の回動軸心と交差する位置に、電球の端子側の外周部を電球保持部の保持方向に沿って挿入して配置可能な位置決め凹部が、保持基部に固定状態で設けられていることを特徴とする。
【００１１】
本発明の請求項２は、位置決め凹部の挿入奥部が、電球保持部の回動軸心を中心とする円弧形状を呈し、電球の端子側の外周部に相当した幅及び径を有していることを特徴とする。
【００１２】
本発明の請求項３は、位置決め凹部が、支持体に沿う方向に設けられ、支持体先端側に開口していることを特徴とする。
【００１３】
本発明の請求項４は、位置決め凹部の開口幅が、開口側から挿入奥部に向けて収縮する案内面が形成されていることを特徴とする。
【００１４】
本発明の請求項５は、電球保持部が、保持基部に回動可能に枢支された回動ベース部と、電球保持部の回動軸心から偏心した位置で回動ベース部から立上る立上り片と、立上り片から支持体に沿う面方向に突出して設けられ、電球の外周部を両側から弾性により挟持可能な一対の挟持片とを備えたことを特徴とする。
【００１５】
本発明の請求項６は、電球保持部は、保持基部に回動可能に軸支された枢支軸を有し、回動伝達部は、電球保持部の枢支軸及び支持体の端部にそれぞれ固定され、互いに噛合した一対の歯車からなることを特徴とする。
【００１６】
本発明の請求項７は、一対の歯車が斜歯歯車からなり、支持体の端部に固定された斜歯歯車が、支持体を回動可能に連結する連結部により背面側から係止されていることを特徴とする。
【発明の効果】
【００１７】
本発明の請求項１に係る電球交換器具では、電球の端子側の外周部を電球保持部の保持方向に沿って挿入及び配置可能な位置決め凹部が、電球保持部より外側に保持基部に固定状態で設けられているので、電球保持部を所定の保持方向に移動させて電球の外周部を保持させる際、電球の端子側の外周部により位置決め凹部が案内され、電球保持部及び位置決め部の位置により電球に対する電球保持機構の位置を位置決めすることができる。
しかも、この位置決め凹部が電球保持部の回動軸心と交差する位置に配置されているので、電球の端子側の外周部を位置決め凹部の所定位置に配置するだけで、容易にソケットに装着された電球の端子部の軸心と電球保持部の回動軸心とを回動可能な範囲に合わせることができる。そのため、電球から離れた位置から支持体を介して操作しても、容易に電球を回動させて、電球交換作業を行うことが可能である。
【００１８】
請求項２に係る電球交換器具では、位置決め凹部の挿入奥部が電球保持部の回動軸心を中心とする円弧形状を呈し、電球の端子側の外周部に相当した幅及び径を有しているので、電球の端子側の外周部を位置決め凹部の挿入奥部側まで挿入するだけで、容易に電球の端子の軸部と電球保持部の回動軸心とを合わせることができ、より電球交換作業を容易に行うことができる。
【００１９】
請求項３に係る電球交換器具では、位置決め凹部が支持体に沿う方向に設けられ、支持体先端側に開口しているので、支持体に沿って電球交換器具を移動させることにより、電球保持部に電球の外周部を保持させ、或いは電球保持部から電球を取り外すことができる。そのため、支持体に沿う方向に対して交差方向に移動させる場合に比べ、支持体の他端側から電球保持部に力を作用させ易く、より交換作業を容易に行い易い。
【００２０】
請求項４に係る電球交換器具では、位置決め凹部の開口幅が、開口側から挿入奥部に向けて収縮する案内面が形成されているので、電球保持部に電球の外周部を保持させる際、位置決め凹部に電球の端子側の外周部を挿入し易く、交換作業を更に容易に行うことができる。
【００２１】
請求項５に係る電球交換器具では、電球保持部が保持基部に回動可能に枢支された回動ベース部と、電球保持部の回動軸心から偏心した位置で回動ベース部から立上る立上り片と、立上り片から支持体に沿う面方向に突出して設けられ、電球の外周部を両側から弾性により挟持可能な一対の挟持片とを備えているので、電球保持部の保持方向を電球保持部の回動軸心と交差する方向に設定することができ、位置決め凹部に保持される電球の端子側の外周部が、電球保持部に保持される電球の外周部より小さい電球であっても、位置決め凹部を電球保持部より小さく設けることが可能で、電球の端支部の軸心と電球保持部の回動軸心とを合わせ易くすることができる。
【００２２】
請求項６に係る電球交換器具では、電球保持部が保持基部に回動可能に軸支された枢支軸を有し、回動伝達部がこの電球保持部の枢支軸及び支持体の端部にそれぞれ固定されて互いに噛合した一対の歯車からなるので、極めて少ない部品点数で確実に支持部の回動を電球保持部に伝達させることができ、電球保持機構の構成を簡単にすることができる。
【００２３】
請求項７に係る電球交換器具では、一対の歯車が斜歯ギアからなり、支持体の端部に固定された斜歯歯車が、支持体を回動可能に連結する連結部により背面側から係止されているので、枢支軸に固定された斜歯歯車と噛合することにより支持体の前方側への移動が阻止されると共に、連結部により後方側への移動が阻止され、より少ない部品点数で、電球保持機構を支持体に支持させることができる。
【発明を実施するための最良の形態】
【００２４】
［第１の実施の形態］
図１乃至は図４は、この実施の形態の電球交換器具を示しており、電球交換器具１０は、長尺の支持体としての支持棒１１の一方の端部に電球保持機構としての電球保持装置１３が設けられ、他方の端部に把手１５が設けられた構造を有している。この実施の形態では、支持棒１１に沿う方向の電球保持装置１３側を前方とし、支持棒１１の把手１５側を後方として説明する。
【００２５】
電球保持装置１３は、支持棒１１と相対回動可能に連結された保持基部２１と、この保持基部２１に回動可能に枢支されて、電球の外周部を所定の保持方向から挿入して保持可能な電球保持部２３と、支持棒１１と電球保持部２３との間を連結して、支持棒１１の回動を電球保持部２３に伝達可能な回動伝達部２５とを備えている。
【００２６】
支持棒１１は、軽量金属パイプからなる把手１５を備えた支持延長棒１１ａと、軽量金属パイプからなる支持棒本体１１ｂとを備え、支持棒本体１１ｂの後端側が支持延長棒１１ａの前端側に設けられた収容孔１１ｄ延長可能に延長可能に収容されて蝶ねじ１１ｃにより固定されている。支持延長棒１１ａ及び支持棒本体１１ｂの断面はそれぞれ円形を呈している。
【００２７】
保持基部２１は、この実施の形態では、支持棒１１に平行に配置された平面状の基部平面部２１ａと、基部平面部２１ａの支持棒１１側の前後方向２箇所に突設された連結板２１ｂを備えている。基部平面部２１ａは、図２に示すように、板材の両側縁側が支持棒１１に沿って支持棒１１側に折り返されて形成されている。２個の連結板２１ｂには、それぞれ貫通孔２１ｃが同軸に設けられており、支持棒本体１１ｂが貫通されることにより、支持棒１１と保持基部２１とが軸心Ｌ２を中心に相対回動可能に連結している。
【００２８】
電球保持部２３は、保持基部２１の基部平面部２１ａから外側に向けて突出するように配置され、支持棒１１の軸心Ｌ２に沿う方向に対して交差した交差方向に回動軸心Ｌ１を有するように基部平面部２１ａに枢支されている。
【００２９】
この実施の形態では、電球保持部２３は、基部平面部２１ａに対して回動自在な枢支軸２３ａに固定された回動ベース部２３ｂと、回動ベース部２３ｂから電球保持部２３の回動軸心Ｌ１から偏心した位置に立上る立上り片２３ｃと、立上り片２３ｃにビス２３ｈにより固定されて、立上り片２３ｃから基部平面部２１ａに沿う方向に突出した一対の挟持片２３ｄとを備えている。この一対の挟持片２３ｄは回動軸心Ｌ１を挟んで両側の対称となる位置に、互いに離間して配置されている。
【００３０】
この一対の挟持片２３ｄは、図３及び図４に示すように、立上り片２３ｃの両側部から延び、全体が略Ｃ字状に湾曲された帯状を呈しており、互いに対向する先端側の内表面に、電球Ｒのガラス球ｒ１の中腹部の外周部を挟持片２３ｄの弾性により挟持する挟持部２３ｅが設けられている。この挟持部２３ｅは、挟持片２３ｄが基部平面部２１ａに沿って設けられているため、図１に示すように、電球Ｒの保持方向Ｄ１が基部平面部２１ａに沿うものとなっている。
なお、各挟持部２３ｅには、図１及び図３に示すように、ゴム等の弾性材料からなるクッション材２３ｆが装着され、それぞれの中央部には支持用穴２３ｇが形成され、支持用穴２３ｇの周囲がガラス球ｒ１と接して安定して挟持可能となっている。
【００３１】
このような電球保持部２３と支持棒１１とは回動伝達部２５により接続されており、支持棒１１の回動が回動伝達部２５を介して電球保持部２３に伝達され、電球保持部２３が回動するように構成されている。
この実施の形態では、回動伝達部２５は、支持棒本体１１ｂの前端部に固定された斜歯歯車２５ａと、電球保持部２３の枢支軸２３ａに固定された斜歯歯車２５ｂとからなり、これらが互いに噛合された状態で保持基部２１の基部平面部２１ａの支持棒１１側に配置されている。
ここでは、支持棒本体１１ｂに固定された斜歯歯車２５ａは、噛合する面の後方の背面側が保持基部２１の前方側に設けられた連結板２１ｂと摺動可能な当接状態で係止されており、斜歯歯車２５ｂ及び支持棒本体１１ｂの後方への移動が阻止されている。
【００３２】
この電球保持装置１３には、保持基部２１の基部平面部２１ａにビス２１ｄにより固定された状態で、基部平面部２１ａから支持棒１１に沿う方向に対して交差する交差方向に突出する立上り部２７ａと、この立上り部２７ａの電球保持部２３より外側の位置から電球保持部２３の回動軸心Ｌ１と交差する方向に延びる屈曲延長部２７ｂとを有するガイド部材２７が設けられている。ここでは、屈曲延長部２７ｂは基部平面部２１ａに沿って略平行に配置されている。
【００３３】
屈曲延長部２７ｂには、図３及び図４に示すように、電球保持部２３に保持される電球Ｒのガラス球ｒ１の中腹部の外周部より、端子である口金ｒ２側のガラス球ｒ１の外周部を、電球保持部２３の保持方向Ｄ１に挿入して配置可能な位置決め凹部２９が設けられている。
この位置決め凹部２９は、電球保持部２３の回動軸心Ｌ１と交差する位置に形成されており、支持棒１１の先端側であって、電球保持部２３の回動軸心Ｌ１より前方側に設けられた開口部２９ａから支持棒１１に沿って後方側に向けて凹み、その後端部である挿入奥部２９ｂが電球保持部２３の回動軸心Ｌ１より後方に配置されている。
【００３４】
この実施の形態では、位置決め凹部２９の挿入奥部２９ｂは、電球保持部２３の回動軸心Ｌ１を中心とする円弧形状を呈しており、電球Ｒのガラス球の口金ｒ２側の外周部に相当した幅と、口金ｒ２の径に相当した径とを有している。即ち、電球保持部２３の回動軸心Ｌ１に電球Ｒの口金ｒ２の軸心Ｌ３を一致させた状態で、電球Ｒのガラス球の口金ｒ２側の外周部が過剰な隙間を形成することなく配置できる大きさとなっている。ここでは、挿入奥部２９ｂが略半円形状に形成されている。
【００３５】
また、位置決め凹部２９は、開口部２９ａ側の幅が最も広く、挿入奥部２９ｂに向けて徐々に収縮する形状を有し、位置決め凹部２９の両内面が電球Ｒのガラス球の口金ｒ２側の外周部により挿入奥部２９ｂまで案内される案内面２９ｃとなっている。
【００３６】
このような構成の電球交換器具１０を用いて、離れた位置に設置されている照明設備の電球Ｒを横方向の離間した位置から交換するには、まず、支持延長棒１１ａに対して支持棒本体１１ｂを伸縮させて蝶ねじ１１ｃで固定することにより、支持棒１１の長さを調整した後、支持棒１１の電球交換器具１０の把手１５を把持し、支持棒１１に対して電球保持装置１３が電球Ｒ側に配置されるようにして、電球保持装置１３を照明設備に近接させる。
【００３７】
その後、支持棒１１を前方側に移動させることにより、ガイド部材２７の位置決め凹部２９の開口部２９ａ側に電球Ｒのガラス球ｒ１の口金ｒ２側の外周部を挿入しつつ、電球保持部２３の一対の挟持片２３ｄ間の開口側に電球Ｒのガラス球ｒ２の中腹部の外周部を挿入する。
【００３８】
この状態から支持棒１１を更に前方側に移動させると、電球Ｒのガラス球ｒ１の口金ｒ２側に位置決め凹部２９の案内面２９ｃに案内されて、電球Ｒが挿入奥部２９ｂに達するまで移動すると同時に、挟持片２３ｄが弾性により拡開することにより電球Ｒのガラス球ｒ２の中腹部の外周部が挟持部２３ｅのクッション材２３ｆ間に達するまで移動し、電球Ｒのガラス球ｒ１の口金ｒ２側が位置決め凹部２９の挿入奥部２９ｂに配置されると共に、電球Ｒの中腹部の最も大きい部分が支持用穴２３ｇ周囲のクッション材２３ｆ間に挟持される。これにより、電球Ｒの口金ｒ２の軸心Ｌ３と、電球保持部２３の回動軸心Ｌ１とが、回動可能な程度に一致する。
【００３９】
そして、支持棒１１を把手１５により回動させると、回動伝達部２５の斜歯歯車２５ａ、２５ｂを介して、支持棒１１の回動が電球保持部２３の枢支軸２３ａに伝達され、枢支軸２３ａと共に電球Ｒを挟持した挟持片２３ｄが回動軸心Ｌ１を中心に回動する。その結果、電球Ｒの口金ｒ２が図示しない照明器具のソケットに対して回動し、電球Ｒの口金ｒ２をソケットから取り外すことができる。
その後、電球Ｒは電球保持部２３の挟持片２３ｄ間に弾性により支持されるため、支持棒１１を引き下げれば、電球Ｒが回収することができる。
【００４０】
一方、新たな電球を照明器具に装着するには、取外し時と同様に新たな電球Ｒを電球保持部２３の挟持片２３ｄ間に弾性により支持させて、電球Ｒの口金ｒ２の軸心Ｌ３と電球保持部２３の回動軸心Ｌ１とを合わせ、照明器具のソケットに電球Ｒの口金ｒ２を宛がい、取外し時とは逆方向に回動させれば、新たな電球Ｒを照明設備に装着することができる。
そして、支持棒１１を引き下げれば、挟持片２３ｄ間を電球Ｒのガラス球ｒ１の表面が摺動して離脱し、電球の交換作業を完了することができる。
【００４１】
以上のような電球交換器具１０によれば、まず、支持棒１１と保持基部２１とが相対回動可能に連結されているので、保持基部２１を一定向きに配置して支持棒１１を回動させることができ、この保持基部２１に電球Ｒのガラス球ｒ１の中腹部の外周部を保持可能な電球保持部２３が配置されているので、電球保持部２３に電球Ｒを保持した状態で支持棒１１を回動させることができる。そして、この電球保持部２３が保持基部２１に回動可能に枢支され、回動伝達部２５により支持棒１１の回動を電球保持部２３に伝達できるため、電球保持部２３に電球Ｒのガラス球ｒ１の外周部を保持させて、支持棒１１を回動させれば、電球Ｒを回動させることが可能である。
【００４２】
このとき、電球Ｒのガラス球ｒ２の口金ｒ２側の外周部を電球保持部２３の保持方向Ｄ１に沿って挿入及び配置可能な位置決め凹部２９が、電球保持部２３より外側に保持基部２１に固定状態で設けられているので、電球保持部２３を所定の保持方向Ｄ１に移動させて電球Ｒのガラス球ｒ１の中腹部の外周部を保持させる際、電球Ｒのガラス球ｒ１の口金ｒ２側の外周部により位置決め凹部２９が案内され、電球保持部２３及び位置決め凹部２９の複数の位置で電球Ｒに対して電球保持装置１３を位置決めすることができる。
【００４３】
しかも、位置決め凹部２９が電球保持部２３の回動軸心Ｌ１と交差する位置に配置されているので、電球Ｒのガラス球ｒ１の口金ｒ２側の外周部を位置決め凹部２９の所定位置に配置するだけで、容易に照明設備のソケットに装着された電球Ｒの口金ｒ２の軸心Ｌ３と電球保持部２３の回動軸心Ｌ１とを回動可能な範囲に合わせることができる。そのため、電球Ｒから離れた位置から支持棒１１を介して操作しても、容易に電球Ｒを回動させて電球交換作業を行うことが可能である。
【００４４】
また、位置決め凹部２９の挿入奥部２９ｂが電球保持部２３の回動軸心Ｌ１を中心とする円弧形状を呈し、電球Ｒのガラス球ｒ１の口金ｒ２側の外周部に相当した幅及び径を有しているので、電球Ｒのガラス球ｒ１の口金ｒ２側の外周部を位置決め凹部２９の挿入奥部２９ｂまで挿入するだけで、容易に電球Ｒの口金ｒ２の軸部Ｌ３と電球保持部２３の回動軸心Ｌ１とを合わせることができ、より電球交換作業がより容易に行える。
【００４５】
ここでは、位置決め凹部２９が支持棒１１に沿う方向に設けられ、支持棒１１先端側に開口しているので、支持棒１１に沿って電球交換器具１０を前方側へ移動させることにより、電球保持部２３に電球Ｒのガラス球ｒ１の中腹部の外周部を保持させたり、電球保持部２３から電球Ｒを取外すことができる。そのため、支持棒１１に沿う方向に対して交差方向に支持棒１１を移動させて交換作業を行う場合に比べ、支持棒１１の把手１５側から電球保持部２３に力を作用させ易く、交換作業をより容易に行い易い。
【００４６】
しかも、この位置決め凹部２９の開口幅が、開口部２９ａ側から挿入奥部２９ｂに向けて収縮する案内面２９ｃとなっているので、電球保持部２３に電球Ｒのガラス球ｒ１の中腹部の外周部を保持させる際、位置決め凹部２９に電球Ｒのガラス球ｒ１の口金ｒ２側の外周部を挿入し易く、交換作業を更に容易に行うことができる。
【００４７】
この電球交換器具１０では、電球保持部２３が保持基部２１に回動可能に枢支された回動ベース部２３ｂと、電球保持部２３の回動軸心Ｌ１から偏心した位置で回動ベース部２３ｂから立上る立上り片２３ｃと、立上り片２３ｃから支持棒１１に沿う面方向に突出して設けられ、電球Ｒのガラス球ｒ１の中腹部の外周部を両側から弾性により挟持可能な一対の挟持片２３ｄとを備えているので、電球保持部２３の保持方向を電球保持部２３の回動軸心Ｌ１と交差する方向に設定することができ、位置決め凹部２９に保持される電球Ｒのガラス球ｒ１の口金ｒ２側の外周部が、電球保持部２３に保持される電球Ｒの中腹部の外周部より小さい電球Ｒであっても、位置決め凹部２９を電球保持部２３より小さく設けることが可能で、電球Ｒの口金ｒ２の軸心Ｌ３と電球保持部２３の回動軸心Ｌ１とを合わせ易い。
【００４８】
ここでは、電球保持部２３が保持基部２１に回動可能に軸支された枢支軸２３ａを有し、回動伝達部２５がこの電球保持部２３の枢支軸２３ａ及び支持棒１１の端部にそれぞれ固定されて互いに噛合した一対の斜歯歯車２５ａ、２５ｂからなるので、極めて少ない部品点数で確実に支持部の回動を電球保持部２３に伝達させることができ、電球保持装置１３の構成を簡単にすることができる。
更に、支持棒１１の端部に固定された斜歯歯車２５ａが、支持棒１１を回動可能に連結する連結板２１ｂにより背面側から係止されているので、枢支軸２３ａに固定された斜歯歯車２５ａと噛合することにより支持棒１１の前方側への移動が阻止されると共に、連結板２１ｂにより後方側への移動が阻止され、そのため、より少ない部品点数で、電球保持装置１３を支持棒１１に支持させることができ、更に構成を簡単にすることができる。
【００４９】
なお、上記実施の形態においては、本発明の範囲内において適宜変更することが可能であり、例えば上記では、電球Ｒを保持しない状態、或いはソケットに装着されていない電球Ｒを保持した状態において、電球保持装置１３が自重により支持棒１１に対して回動することを抑制するために、例えば支持棒１１と保持基部２１との間の摩擦力や保持基部２１と電球保持部２３との間の摩擦力等により支持棒１１に対する電球保持装置１３の回動抵抗を付与しているが、特に限定されることはなく、設けなくても使用可能である。また、何れかの摺動部分に係脱容易な突起等を設けて所定の位置で回動を抑制したり、支持棒１１の外側或いは内側に、把手１５側から操作可能な係合部材を設けることも可能である。
【００５０】
また、上記実施の形態では、支持棒１１に対する電球保持部２３の交差方向が支持棒１１の軸心Ｌ２に対して略直交したものを例示したが、支持棒１１の軸心Ｌ２に対して直交方向以外の方向で交差していてもよい。
【００５１】
［第２の実施の形態］
上記第１の実施の形態では、支持棒本体１１ｂの後端側が支持延長棒１１ａの前端側に収容されて蝶ねじ１１ｃにより固定された支持棒１１を用いたが、この第２の実施の形態では、支持体として他の電球交換器具を利用した例について説明する。図５及び図６は、この第２の実施の形態の複合電球交換装置を示す。
この複合電球交換器具３０は、図５に示すような直上電球交換器具３０ａの前端側に、図６に示すように、第１の実施の形態と同一の支持棒本体１１ｂ及び電球保持装置１３を装着したものである。
【００５２】
直上電球交換器具３０ａは、図５に示すように、長尺の軽量金属パイプからなる複合用支持棒３１の一方の端部に直上電球保持装置３３が設けられ、他方の端部に把手３５が設けられた構造を有している。
直上電球保持装置３３は、複合用支持棒３１の一方の端部にリベット３６により固定されたアーム固定部３７と、このアーム固定部３７に支点ピン３９により複合用支持棒３１の放射方向に揺動可能に装着された一対の揺動アーム４１と、揺動アーム４１の把手３５側端部４１ｂを放射方向外側に付勢する圧縮バネ４３と、アーム固定部３７近傍から突出して揺動アーム４１の外側に当接可能に設けられたストッパ装置４５と、アーム固定部３７から軸方向に突出して伸縮可能に装着された伸縮ボス部材４７とを有している。
【００５３】
一対の揺動アーム４１は、複合用支持棒３１を挟んで略１８０°となる位置に互いに対向するように配置され、中間位置で支点ピン３９によりアーム固定部３７に揺動可能に支持されている。一方の端部４１ａ側が複合用支持棒３１の先端より軸方向に突出しており、この端部４１ａに互いに対向する電球Ｒの保持面４９が設けられている。保持面４９には、互いに対向するようにクッションシート５１が接合されている。
【００５４】
揺動アーム４１の支点ピン３９より把手３５側となる他方の端部４１ｂ側は、圧縮バネ４３により放射方向外側に向けて付勢されている。この端部４１ｂがストッパ装置４５により放射方向外側から圧縮バネ４３の弾性力に抗して係止されている。
【００５５】
この揺動アーム４１は、端部４１ｂがストッパ装置４５により係止された状態で、保持面４９が放射方向最内側に配置され、一対の揺動アーム４１の保持面４９間の開度が最小開度となっている。揺動アーム４１の保持面４９側の端部４１ａを外側方向Ａに圧縮バネ４３の付勢力に抗して変位させることにより、開度を増加することが可能となっている。
【００５６】
ストッパ装置４５は、複合用支持棒３１に固定されたブロック状のストッパ固定部５３と、このストッパ固定部５３に連結された頭部付ロッド５７とを有している。
頭部付ロッド５７は、ストッパ固定部５３にそれぞれ連結されると共に、揺動アーム４１の端部４１ｂの貫通孔４１ｃを貫通して、揺動アーム４１の端部４１ｂの外側に延びるストッパロッド５７ａと、このストッパロッド５７ａに一体に設けられて揺動アーム４１の端部４１ｂの外側に当接可能に配置されたストッパ当接部５７ｂとを有している。また、ストッパロッド５７ａの周囲には、圧縮バネ４３が同芯状に装着されている。圧縮バネ４３の一方の端部４３ａはストッパ固定部５３に当接し、他方の端部４３ｂは揺動アーム４１の端部４１ｂ側の内面に当接している。
【００５７】
伸縮ボス部材４７は、複合用支持棒３１の先端から保持面４９側に突出して設けられている。この伸縮ボス部材４７は、アーム固定部３７の頂部に軸方向にスライド可能に装着された伸縮ロッド５９と、この伸縮ロッド５９の端部に装着された当接ボス部６１とを有している。伸縮ロッド５９はアーム固定部３７に複合用支持棒３１の軸方向に設けられた挿入孔３７ｂにスライド可能に挿入されて固定ネジ６７により固定されている。
【００５８】
このような構成の直上電球交換器具３０ａを用いて、高所に配置されている照明設備の電球の交換作業を行うには、まず、ストッパ装置４５のストッパロッド５７ａを伸縮させることにより、各ストッパ当接部５７ｂの複合用支持棒３１からの位置を調整する。これにより、圧縮バネ４３により付勢されている揺動アーム４１の把手側の端部４１ｂの位置を調整して、保持面４９の最小開度を交換する電球Ｒの外形に応じた適切な開度にする。
また、電球Ｒの下部が配置される位置に当接ボス部６１の頂部が配置されるように、伸縮ボス部材４７の位置を調整し、伸縮ロッド５９を固定ネジ６７により固定する。
【００５９】
揺動アーム４１の保持面４９の最小開度と伸縮ボス部材４７とを調整した後、照明設備の下方から、直上電球交換器具３０ａの把手３５を把持して、揺動アーム４１を照明設備に装着されている電球Ｒのガラス球ｒ１外形に嵌め込む。
電球Ｒの下部が伸縮ボス部材４７の頂部に当接するまで挿入すると、各保持面４９のクッションシート５１間に電球Ｒのガラス球ｒ１が配置され、圧縮バネ４３の付勢力により電球Ｒを保持面４９間で保持できる。
この状態で、把手３５を把持して複合用支持棒３１を回動させることにより、電球Ｒを回動させれば、照明器具のソケットから電球Ｒの口金ｒ２を取り外すことができる。
【００６０】
新たな電球を照明器具に装着するには、ストッパ装置４５の位置及び保持面４９の最小開度をそのままにして、新たな電球Ｒを保持面４９間に保持させ、複合用支持棒３１を取外し時とは逆方向に回動させれば、新たな電球Ｒを照明設備に装着することができる。
【００６１】
以上のような直上電球交換器具３０ａでは、複合用支持棒３１の先端に固定されている伸縮ボス部材４７の伸縮ロット５９を、アーム固定部３７に設けられた挿入孔３７ｂから抜き取ることが可能となっている。そのため、伸縮ボス部材４７を抜き取り、このアーム固定部３７の挿入孔３７ｂに電球保持装置１３が装着されている支持棒本体１１ｂを挿入して、固定ネジ６７により固定させると、図６のような複合電球交換器具３０を得ることができる。
ここでは、電球保持装置１３が揺動アーム４１の先端よりも前方に突出した位置に配置されており、この状態で複合用支持棒３１を回動させれば、第１の実施の形態と同様にして、電球保持装置１３を使用することが可能である。
【００６２】
このような複合電球交換器具３０によれば、複合用支持棒３１のアーム固定部３７に伸縮ボス部材４７を装着すれば、直上方向の高所に配置された電球Ｒを交換することができ、一方、複合用支持棒３１のアーム固定部３７に電球保持装置１３が装着された支持棒本体１１ｂを装着すれば、斜め上方や側方など、横方向に離間した位置に配置された電球Ｒを交換することが可能である。そのため、複合用支持棒３１を共通に用い、しかも、僅かな部品を交換するだけで何れの方向の電球であっても交換することができて、極めて利便性が高い。
【図面の簡単な説明】
【００６３】
【図１】本発明の第１の実施の形態に係る電球交換器具の断面図である。
【図２】図１の電球交換器具の基部平面部の正面図である。
【図３】図１の電球交換器具の電球保持装置の平面図である。
【図４】図１の電球交換器具の電球保持装置の上部側面図である。
【図５】本発明の第２の実施の形態に係る複合電球交換器具に利用する直上電球交換器具の平面図である。
【図６】本発明の第２の実施の形態に係る複合電球交換器具の平面図である。
【符号の説明】
【００６４】
１０      電球交換器具
１１      支持棒
１３      電球保持装置
２１      保持基部
２３      電球保持部
２３ａ    枢支軸
２３ｂ    回動ベース部
２３ｃ    立上り片
２３ｄ    挟持片
２５      回動伝達部
２５ａ、２５ｂ  斜歯歯車
２７            ガイド部材
２９            位置決め凹部
２９ａ          開口部
２９ｂ          挿入奥部
Ｌ１            回動軸心
Ｒ              電球
３０            複合電球交換器具
３１            複合用支持棒
【図１】
2006185630.tif 000003
【図２】
2006185630.tif 000004
【図３】
2006185630.tif 000005
【図４】
2006185630.tif 000006
【図５】
2006185630.tif 000007
【図６】
2006185630.tif 000008